(57)【要約】【課題】型枠に容易かつ迅速に固定および取り外しすることができるクラック誘発目地、目地固定ネジ、クラック誘発防水構造および方法を提供する。【解決手段】クラック誘発目地が、その任意の横断面形状が平坦部と平坦部の反対側にいくにつれて先細りとなる先細り部とからなり、平坦部からなる平坦面に、平坦面側に開口し、その奥幅が開口幅よりも広い任意の横断面形状がＴ字形のネジ止め溝を設け、先細り部の先端に、クラック誘発目地本体の上端面と下端面とを連通する開口溝を設け、開口溝の開口部が未硬化のコンクリートを透過しないシートで覆われ、被覆層が、クラック誘発目地本体の上端面、下端面、平坦面および開口溝以外の面を覆う。【選択図】図１
2010001644.tif 000002
【特許請求の範囲】
【請求項１】
長尺のクラック誘発目地本体と、前記クラック誘発目地本体を覆う粘着性材料の被覆層とを備えるクラック誘発目地であって、
前記クラック誘発目地本体が、その任意の横断面形状が平坦部と平坦部の反対側にいくにつれて先細りとなる先細り部とからなり、
前記平坦部からなる平坦面に、前記平坦面側に開口し、その奥幅が開口幅よりも広い任意の横断面形状がＴ字形のネジ止め溝を設け、
前記先細り部の先端に、前記クラック誘発目地本体の上端面と下端面とを連通する開口溝を設け、
前記開口溝の開口部が未硬化のコンクリートを透過しないシートで覆われ、
前記被覆層が、前記クラック誘発目地本体の上端面、下端面、前記平坦面および前記開口溝以外の面を覆うクラック誘発目地。
【請求項２】
前記平坦面の左右端に、幅０．１〜５ｍｍ、高さ０．１〜１ｍｍの突起部をそれぞれ設ける請求項１記載のクラック誘発目地。
【請求項３】
前記クラック誘発目地のコンクリートに接する面に高さ１〜１２ｍｍの突出部を少なくとも１つ設ける請求項１または２記載のクラック誘発目地。
【請求項４】
前記先細り部の先端に、前記クラック誘発目地本体の長手方向に沿う円柱を一体形成する請求項１、２または３記載のクラック誘発目地。
【請求項５】
前記クラック誘発目地本体の上端面を、前記平坦面側に向かうにつれて下降するよう斜設する請求項１、２、３または４記載のクラック誘発目地。
【請求項６】
ネジ頭が、ネジ先方向から見て横長の長方形をその右下角と左上角とを円弧状にした形状であり、
前記ネジ頭の長辺の長さがクラック誘発目地のネジ止め溝の奥幅と同じまたは前記奥幅よりわずかに長く、
前記ネジ頭の短辺の長さが前記クラック誘発目地のネジ止め溝の開口幅より短い目地固定ネジ。
【請求項７】
コンクリート構造体の四方を覆う型枠、前記型枠の内側に固定される請求項１、２、３、４または５記載のクラック誘発目地、および前記クラック誘発目地を前記型枠に固定する請求項６記載の目地固定ネジによって形成され、
コンクリート構造体を形成した後、前記型枠と前記目地固定ネジとを撤去し、前記クラック誘発目地をコンクリート構造体内に残置することによって得られるコンクリート構造体のクラック誘発防水構造。
【請求項８】
コンクリート打設前に、請求項６記載の目地固定ネジにより、請求項１、２、３、４または５記載のクラック誘発目地を前記型枠に固定する工程と、
コンクリート打設後に、前記型枠と前記目地固定ネジとを撤去し、前記クラック誘発目地をコンクリート構造体内に残置する工程と、
前記クラック誘発目地により、コンクリート構造体内部に前記クラック誘発目地の先細り部の先端を起点とするクラックを発生させる工程と、
前記クラック誘発目地に設けられた開口溝に補修剤を注入し、前記クラックに補修剤を充填する工程と
を含むコンクリート構造体のクラック誘発防水方法。
【発明の詳細な説明】
【技術分野】
【０００１】
本発明は、クラック誘発目地、目地固定ネジ、コンクリート構造体のクラック誘発防水構造および方法に関する。さらに詳しくは、クラック誘発目地が上下方向に延長するネジ止め溝を有し、目地固定ネジが共回り防止機構を有することにより、クラック誘発目地を型枠に容易かつ迅速に固定することができ、さらに、コンクリート構造体内部のあらかじめ想定した箇所にクラックを発生させ、それを防水することができる、コンクリート構造体内に残置されるクラック誘発目地、目地固定ネジ、それらを用いたコンクリート構造体のクラック誘発防水構造および方法に関する。
【背景技術】
【０００２】
鉄筋コンクリート構造体の表面および内部には、打設したコンクリートの硬化に伴う収縮応力によりクラックが発生する。このクラックは、硬化条件などにより無秩序に多数箇所に発生する。クラックがコンクリート外面に現れると、美観を損なうだけでなく、クラック内に水分が浸入し、浸入した水分により内部鉄筋の腐食・劣化を招き、コンクリート構造体の強度を低下させることが知られている。そのため、コンクリート構造体表面の所定箇所にクラック誘発目地を形成して断面欠損箇所を生じさせたり、コンクリート構造体内部にクラック誘発構造を形成して、その箇所に応力を集中させることにより、クラックを特定箇所に積極的に集中発生させ、他の箇所に無秩序に多数発生することを防止する手法が従来から採られてきた。こういった手法を用いることにより、クラックへの防水工事の容易化が図られている。
【０００３】
断面欠損箇所を生じさせる目地の一例として、特許文献１にコンクリート構造体に残置する樹脂製クラック誘発目地が開示されている。このような目地を、お互いが対向するようにコンクリート構造体内に配置することにより、対向する目地間にクラックを誘発させ、目地の周囲が粘着性材料で覆われているため、コンクリート外表面からクラックへの水の浸入を防止することができる。また、特許文献２には、コンクリート構造体内部にクラック誘発部材を埋設して、コンクリート構造体内部のあらかじめ想定した箇所にクラックを発生させ、クラック誘発部材に設けられたスリットから補修剤を注入し、クラックを補修することができるクラック誘発止水構造が開示されている。さらに、特許文献３には、上記のクラック誘発目地およびクラック誘発止水構造の機能を合わせ持つものとして、発生させたクラックに補修剤を注入するためのパイプが設けられたクラック誘発目地が開示されている。
【０００４】
【特許文献１】特開２００２−１６１５４４号公報
【特許文献２】登録実用新案第３１２１６５８号公報
【特許文献３】特開平９−１８４２０６号公報
【発明の開示】
【発明が解決しようとする課題】
【０００５】
しかし、特許文献１に開示されているような残置型の誘発目地は、それ自体でコンクリート構造体内部に発生したクラックを補修することはできない。そのため、発生したクラックを補修する場合、ドリルなどでコンクリート構造体外部からクラックに通じる穿孔を設け、前記穿孔からクラックに補修剤を注入しなければならず、クラックの補修に際して、作業工程が増えてしまうという課題を有する。
【０００６】
また、目地はコンクリート打設前にネジなどにより型枠内側に固定されるが、型枠に設けられたネジ孔と目地に設けられたネジ孔とを一致させることに時間を要する。また、型枠のネジ孔間隔と目地のネジ孔間隔とがずれていた場合や、ネジ孔周辺に型枠を固定する鋼管などの障害物がある場合、作業現場で再度孔を設けて両者を固定できるようにしなければならず、作業の遅延を招いてしまう。
【０００７】
また、目地と型枠との固定に釘を用いる場合は、コンクリート打設後に目地がコンクリート構造体内に残置されることに配慮して釘を除去しなければならず、除去作業の負担が大きい。また、目地のコンクリート構造体外表面に露出する部分に、釘を除去した後が残り、その見栄えも良くない。
【０００８】
また、コンクリート構造体内部にクラック誘発止水構造を埋設するものは、コンクリート打設前にあらかじめクラック誘発止水部材をコンクリート構造体内部の鉄筋に固定しなければならない。
【０００９】
本発明はこれらの課題を解消するものであり、目地固定ネジによりクラック誘発目地を型枠に容易かつ迅速に固定することができ、クラック誘発目地をコンクリート構造体内に残置するので断面欠損部分が発生せず、かつコンクリート構造体内部のあらかじめ想定した箇所にクラックを発生させ、発生したクラックに補修剤を充填して防水することにより、コンクリート構造体内部への水の浸入を確実に防止し、コンクリート構造体の強度低下を長期間防止することができるクラック誘発目地、目地固定ネジ、クラック誘発防水構造および方法を提供することを目的とする。
【課題を解決するための手段】
【００１０】
本発明のクラック誘発目地は、長尺のクラック誘発目地本体と、前記クラック誘発目地本体を覆う粘着性材料の被覆層とを備えるクラック誘発目地であって、前記クラック誘発目地本体が、その任意の横断面形状が平坦部と平坦部の反対側にいくにつれて先細りとなる先細り部とからなり、前記平坦部からなる平坦面に、前記平坦面側に開口し、その奥幅が開口幅よりも広い任意の横断面形状がＴ字形のネジ止め溝を設け、前記先細り部の先端に、前記クラック誘発目地本体の上端面と下端面とを連通する開口溝を設け、前記開口溝の開口部が未硬化のコンクリートを透過しないシートで覆われ、前記被覆層が、前記クラック誘発目地本体の上端面、下端面、前記平坦面および前記開口溝以外の面を覆うことを特徴とする。
【００１１】
また、前記平坦面の左右端に、幅０．１〜５ｍｍ、高さ０．１〜１ｍｍの突起部をそれぞれ設けることが好ましい。
【００１２】
また、前記クラック誘発目地のコンクリートに接する面に高さ１〜１２ｍｍの突出部を少なくとも１つ設けることが好ましい。
【００１３】
また、前記先細り部の先端に、前記クラック誘発目地本体の長手方向に沿う円柱を一体形成することが好ましい。
【００１４】
また、前記クラック誘発目地本体の上端面を、前記平坦面側に向かうにつれて下降するよう斜設することが好ましい。
【００１５】
本発明の目地固定ネジは、ネジ頭がネジ先方向から見て横長の長方形をその右下角と左上角とを円弧状にした形状であり、前記ネジ頭の長辺の長さがクラック誘発目地のネジ止め溝の奥幅と同じまたは前記奥幅よりわずかに長く、前記ネジ頭の短辺の長さが前記クラック誘発目地のネジ止め溝の開口幅より短いことを特徴とする。
【００１６】
本発明のコンクリート構造体のクラック誘発防水構造は、コンクリート構造体の四方を覆う型枠、前記型枠の内側に固定される前記クラック誘発目地、および前記クラック誘発目地を前記型枠に固定する前記目地固定ネジによって形成され、コンクリート構造体を形成した後、前記型枠と前記目地固定ネジとを撤去し、前記クラック誘発目地をコンクリート構造体内に残置することによって得られることを特徴とする。
【００１７】
本発明のコンクリート構造体のクラック誘発防水方法は、コンクリート打設前に、前記目地固定ネジにより、前記クラック誘発目地を前記型枠に固定する工程と、コンクリート打設後に、前記型枠と前記目地固定ネジとを撤去し、前記クラック誘発目地をコンクリート構造体内に残置する工程と、前記クラック誘発目地により、コンクリート構造体内部に前記クラック誘発目地の先細り部の先端を起点とするクラックを発生させる工程と、前記クラック誘発目地に設けられた開口溝に補修剤を注入し、前記クラックに補修剤を充填する工程とを含むことを特徴とする。
【発明の効果】
【００１８】
本発明のクラック誘発目地は、そのネジ止め溝がクラック誘発目地の上下端に連通しているので、ネジ止め溝上の任意の箇所で、目地固定ネジをネジ止め溝に挿入することができ、目地と型枠とを容易かつ迅速に固定することができる。特に、ネジ孔周辺に型枠を固定する鋼管などの障害物がある場合であってもネジを上下にずらすことで、クラック誘発目地を型枠に容易に固定することができる。また、本発明のクラック誘発目地は、コンクリート構造体内に残置されるので、断面欠損部分が発生せず、断面欠損部分を埋め戻すシーリング剤やモルタルを必要とせず、作業労力を低減することができ、シーリング剤などのコストを削減できる。また、本発明のクラック誘発目地は、その任意の横断面形状に先細り部を有し、その先細り部の先端に開口溝を有するので、コンクリート構造体内部のあらかじめ想定した箇所にクラックを確実に発生させることができる。さらに、前記開口溝に補修剤を注入することにより、クラックに補修剤を充填して防水することができ、コンクリート構造体内への水の浸入を確実に防止し、コンクリート構造体の強度低下を長期間防止することができる。
【００１９】
本発明の目地固定ネジは、クラック誘発目地のネジ止め溝の開口部から、ネジ止め溝に容易に挿入することができ、目地固定ネジを右回転するだけで、ネジ頭の側面がネジ止め溝の奥幅に挟み込まれるので、ネジ止め溝上の任意の箇所に容易かつ迅速に固定することができ、それ以上は右回転しないことから共回りを防止することができ、クラック誘発目地を型枠に容易かつ迅速に固定することができる。
【発明を実施するための最良の形態】
【００２０】
以下、添付図面を参照して、本発明を詳細に説明する。
【００２１】
図１は、本発明のクラック誘発目地の第１の実施の形態における概略斜視図であり、図２ａは、本発明のクラック誘発目地の第１の実施の形態における横断面図であり、図２ｂは、本発明のクラック誘発目地の第２の実施の形態における横断面図であり、図２ｃは、本発明のクラック誘発目地の第３の実施の形態における横断面図であり、図３は、本発明のクラック誘発目地の第４の実施の形態における横断面図であり、図４ａは、本発明のクラック誘発目地の第５の実施の形態を示し、コンクリート構造体に配設された状態における上端面を示す概略斜視図であり、図４ｂは、図４ａの断面図である。
【００２２】
図５ａは、本発明の目地固定ネジの正面図であり、図５ｂは、本発明の目地固定ネジを、ネジ先から見た状態を示す図であり、図６ａは、本発明の目地固定ネジの目地への固定方法を示す第１説明図であり、図６ｂは、本発明の目地固定ネジの目地への固定方法を示す第２説明図であり、図６ｃは、本発明の目地固定ネジの目地への固定方法を示す第３説明図である。
【００２３】
図７は、本発明のクラック誘発防水構造の一実施態様を示す概略横断面図であり、図８は、本発明のクラック誘発防水構造の他の実施態様を示す概略横断面図である。
【００２４】
（クラック誘発目地）
図１〜４にしたがって、本発明のクラック誘発目地１を第１の実施の形態に基づいて説明する。本発明のクラック誘発目地１は、長尺のクラック誘発目地本体２とクラック誘発目地本体２を覆う粘着性材料の被覆層３とを備える。
【００２５】
図１に示されるように、クラック誘発目地本体２は長尺部材である。クラック誘発目地本体２の材質は、型枠４１への固定時またはコンクリート打設時に折れたり曲がったりしない程度の強度を有するものであれば特に限定されないが、一定の強度を有し、かつ加工が容易な、鉄、銅、アルミニウムなどの金属、ポリ塩化ビニルなどの合成樹脂またはポリアセタール樹脂、ナイロンなどのエンジニアリング樹脂であることが好ましい。クラック誘発目地本体２の長さは、コンクリート構造体２０の大きさに合わせて調節される。長さが不足する場合には、クラック誘発目地本体２を長手方向に連結することにより伸長することができるので、その長さは特に限定されない。クラック誘発目地本体２の製造方法は特に限定されないが、製造が容易で安価な押出加工による製造が好ましい。
【００２６】
図２ａに示されるように、クラック誘発目地本体２はその任意の横断面形状に平坦部１０を有する。図１に示されるように、この平坦部１０は長尺部材においては平坦面１０である。クラック誘発目地本体２の平坦面１０と型枠４１内側の平坦面同士は隙間なく密着して固定される。これにより、クラック誘発目地１と型枠４１との間に未硬化コンクリートが流入することを防止する。
【００２７】
平坦面１０の横幅は特に限定されないが、クラック誘発目地１内にネジ止め溝１２を設けることを考慮して、好ましくは１５〜３０ｍｍであり、より好ましくは２０〜２７ｍｍであり、最も好ましくは２３〜２５ｍｍである。
【００２８】
平坦面１０には、平坦面１０側に開口し、その奥幅Ｌ１が開口幅Ｌ２よりも広い任意の横断面形状がＴ字形のネジ止め溝１２が設けられる。奥幅Ｌ１とは図２ａの長さＬ１であり、開口幅Ｌ２とは図２ａの長さＬ２である。この奥幅Ｌ１と開口幅Ｌ２の差によって生じる棚が、ネジ止め溝１２に挿入される目地固定ネジ３０のネジ頭３１の座面となる。
【００２９】
奥幅Ｌ１と開口幅Ｌ２の長さは相対的なものであり、奥幅Ｌ１と開口幅Ｌ２との差は、目地固定ネジ３０のネジ頭３１の座面を十分に確保するという理由から、４ｍｍ以上であることが好ましく、クラック誘発目地１を型枠４１に強固に固定するためには、その差は８ｍｍ以上であることがより好ましい。また、ネジ止め溝１２の深さは、クラック誘発目地１の大きさ、対応する目地固定ネジ３０の大きさ、および必要とされる締め付け強度を考慮して、好ましくは８〜２０ｍｍであり、より好ましくは１０〜１５ｍｍであり、最も好ましくは１１〜１３ｍｍである。
【００３０】
ネジ止め溝１２は、クラック誘発目地本体２の上下端面に連通しているので、ネジ止め溝１２上の任意の箇所で、目地固定ネジ３０をネジ止め溝１２に挿入することができ、目地固定ネジ３０の固定箇所の自由度が高い。これにより、クラック誘発目地１を型枠４１に容易かつ迅速に固定することができる。特に、従来技術では、クラック誘発目地１と型枠４１とにネジ孔を設けて両者を固定する場合、型枠４１を固定する鋼管などが障害物となり、ネジ孔を塞いでしまうという不都合が生じることがある。かかる場合、再度、上記の不都合のない箇所に、クラック誘発目地１と型枠４１の両方にネジ孔を設けなければならず、作業面での不利益が大きい。本発明のネジ止め溝１２であれば、そのような不都合が生じた場合であっても、ネジ固定箇所をネジ止め溝１２上の上下に自由にずらすことができるので、容易にその不都合を回避することができる。また、同様の理由で、その取り外しも容易かつ迅速におこなうことができる。さらに、ネジ止め溝１２はクラック誘発目地本体２の上下端面に連通しているので、クラック誘発目地本体２の押出加工に適し、その製造を容易にする。
【００３１】
図２ａに示されるように、クラック誘発目地本体２は、その任意の横断面形状において平坦部１０の反対側にいくにつれて先細りとなる先細り部１１が形成される。先細り部１１は、その形状が平坦部１０の反対側にいくにつれて先細り形状となっていることにより、クラック誘発目地１がコンクリート構造体２０内に配設されたときに、先細り部１１の先端を起点としてコンクリート構造体２０内部にクラック４３を発生させることができる。
【００３２】
図２ａに示されるように、本発明の第１の実施の形態では、被覆層３との接着面積を広くすることができ、製造が容易であるという理由から、やや曲線を帯びながら先細り形状が形成されている。被覆層３との接着面積を広くすることで、被覆層３の粘着力が十分に発揮され、コンクリートと被覆層３および被覆層３とクラック誘発目地本体２との間に隙間が形成されることを抑止する。
【００３３】
クラック誘発目地１の平坦面１０から先細り部１１の先端までの長さはコンクリート構造体２０の大きさに応じて決定されるので特に限定されない。通常、クラック誘発部材や目地などによって形成される断面欠損幅が、コンクリート構造体２０の全幅の３０％以上であれば、コンクリート構造体２０の該当箇所に優先的にクラック４３を発生させることができる。クラック４３をあらかじめ想定した箇所に確実に発生させるためには、その長さは長い方が好ましいが、長すぎると型枠４１内側を配設される鉄筋４６の障害となるので、クラック誘発目地１の平坦面１０から先細り部１１の先端までの長さは、好ましくは３０〜１００ｍｍであり、より好ましくは４０〜８０ｍｍであり、最も好ましくは４５〜７０ｍｍである。
【００３４】
図１および図２ａに示されるように、第１の実施の形態では、誘発目地本体２の先細り部１１の先端にクラック誘発目地本体２の長手方向に沿う円柱１３を一体形成している。これにより、円柱１３の上下端に連結穴１８を形成することを容易にし、クラック誘発目地１を長手方向に複数連結することができる。また、連結穴１８に中空のパイプなどを差し込むことにより、前記パイプから補修剤を注入し、連結穴１８とつながる開口溝１４を通じて、クラック４３に補修剤を充填することができる。その結果、コンクリート構造体２０内部のクラック４３を封止し、コンクリート構造体２０の防水を長期間維持することができる。
【００３５】
円柱１３の直径は、コンクリート構造体２０の大きさに応じて決定されるので特に限定されないが、連結穴１８の直径が６ｍｍ程度であることを考慮すると、好ましくは８〜１６ｍｍであり、より好ましくは１０〜１４ｍｍであり、最も好ましくは１１〜１３ｍｍである。
【００３６】
先細り部１１の先端には、クラック誘発目地本体２の上端面と下端面とを連通する開口溝１４が設けられている。開口溝１４は前記先端からのクラック４３の発生をより確実にする。また、開口溝１４はクラック誘発目地本体２の上端面と下端面とを連通するので、押出加工による製造を容易にする。
【００３７】
開口溝１４の幅は特に限定されないが、コンクリート構造体２０内部にクラック４３を確実に発生させ、補修剤が注入されることを考慮して、好ましくは０．５〜５ｍｍであり、より好ましくは１〜４ｍｍであり、最も好ましくは２〜３ｍｍである。また、同様の理由から、開口溝１４の深さは特に限定されないが、好ましくは４〜１０ｍｍであり、より好ましくは５〜９ｍｍであり、最も好ましくは６〜８ｍｍである。
【００３８】
開口溝１４は、開口溝１４の開口部が未硬化のコンクリートを透過しないシート１５で覆われる。シート１５はコンクリート打設時に未硬化のコンクリートが開口溝１４に進入することを防止する。しかし、開口溝１４に注入される補修剤を透過することができるので、コンクリート打設後に開口溝１４から補修剤を注入して、コンクリート構造体２０内部に発生したクラック４３に補修剤を充填し、クラック４３を封止および防水することができる。シート１５の材質は、未硬化のコンクリートを透過しないが、液体を透過するものであれば特に限定されないが、所定の透過性を有する紙、不織布、織布およびメッシュシートが好ましく、安価で取り扱いが容易な紙がより好ましい。
【００３９】
図２ｂに示されるように、本発明の第２の実施の形態では、クラック誘発目地１のコンクリートに接する面に高さ１〜１２ｍｍの突出部１６が少なくとも１つ設けられる。図２ｂでは、クラック誘発目地１の先細り部１１の両側面に、平坦面１０と平行に延びる突出部１６が形成されている。これにより、クラック誘発目地１の止水効果を向上させることができる。突出部１６は、止水効果を向上することができ、押出加工に優れるという理由から、クラック誘発目地本体２の上下端に一貫して形成されていることが好ましい。
【００４０】
突出部１６の高さは特に限定されないが、止水効果と製造の容易さを考慮して、好ましくは１〜１２ｍｍ、より好ましくは５〜１０ｍｍ、最も好ましくは７〜８ｍｍである。また、同様の理由により、突出部１６の幅は特に限定されないが、好ましくは１〜５ｍｍであり、より好ましくは２〜４ｍｍであり、最も好ましくは３ｍｍである。
【００４１】
図２ｃに示されるように、本発明の第３の実施の形態では、製造が容易であるという理由から、クラック誘発目地１は、その先細り部１１の先端に円柱１３を一体形成せず、先細り部１１が直線で形成されている。
【００４２】
図３に示されるように、本発明の第４の実施の形態では、クラック誘発目地１の平坦面１０の左右端に突起部１７がそれぞれ形成されている。これにより、クラック誘発目地１を型枠４１に目地固定ネジ３０により締め付ける際に、締め付けの圧力が突起部１７に集中し、未硬化コンクリートが平坦面１０に進入することを確実に防止し、コンクリート硬化後、型枠４１を撤去したときにコンクリート構造体２０の外表面に現れるクラック誘発目地１の平坦面１０の見栄えを優れたものにする。また、仮に被覆層３と突起部１７を超えて、未硬化コンクリートが平坦面１０に流入したとしても、硬化コンクリートと平坦面１０とは、突起部１７で分離されているためその境界が明瞭であるので、平坦面１０上で硬化したコンクリートをヘラなどで容易に除去することができる。また、コンクリート硬化時の収縮により、クラック誘発目地１とコンクリート構造体２０との間に生じる隙間が外表面に現れることを防止するため、突起部１７は、クラック誘発部材１の横幅方向にわずかに広がって形成されることが好ましい。
【００４３】
突起部１７の幅および高さは特に限定されないが、加工の容易さおよび型枠４１撤去後の外観を考慮して、幅については好ましくは０．１〜５ｍｍ、より好ましくは０．３〜３ｍｍ、最も好ましくは０．５〜２ｍｍであり、高さについては、好ましくは０．１〜１ｍｍ、より好ましくは０．２〜０．８ｍｍ、最も好ましくは０．４〜０．６ｍｍである。
【００４４】
コンクリート構造体２０の上部外表面は、平坦面、斜面などその用途に応じた面が形成される。クラック誘発目地１は、コンクリートの上部外表面に現れていても、前記外表面に現れず埋設されていてもよいが、補修剤を注入するため、開口溝１４または開口溝とつながっている連結穴１８がコンクリート上部外表面に現れていることが好ましい。
【００４５】
図４ａに示されるように、本発明の第５の実施の形態では、クラック誘発目地１はその上端面が平坦面１０側に向かうにつれて下降するように斜めに形成されている。これにより、コンクリート構造体２０の上部の角に形成される面取りに対しても、不都合なくクラック誘発目地１を配設することができる。また、かかる場合、円柱１３部分の上端は斜設されず、コンクリート構造体２０の上面と同様に平坦である。これにより、円柱１３上端に設けられる連結穴１８にパイプを設置して、そこから補修剤を注入し、開口溝１４を通じて、コンクリート内部に発生したクラック４３に補修剤を充填することができる。また、クラック誘発目地１の上端面の形成は切削加工により形成される。また、図４ｂに示されるように、上端面を斜設した後、コンクリート層２１でその上に覆うことにより、その外観を優れたものにすることができる。
【００４６】
クラック誘発目地１は、クラック誘発目地本体２の上端面、下端面、平坦面１０および開口溝１４以外の面が粘着性材料の被覆層３に覆われている。粘着性材料は、コンクリートと被覆層３および被覆層３とクラック誘発目地本体２との間に隙間を発生させないためのものであり、これにより、コンクリート構造体２０外部からクラック４３への水の浸入を防止することができる。また、補修剤を開口溝１４からクラック４３に充填する場合には、被覆層３は補修剤がコンクリート構造体２０外部に漏出することを防止する。粘着性材料は、粘着性を有するものであれば特に限定されないが、コンクリートとの密着性に優れるブチルゴムが特に好ましい。
【００４７】
（目地固定ネジ）
図５および図６にしたがって、本発明の目地固定ネジ３０について説明する。図５ａおよび図５ｂに示されるように、本発明の目地固定ネジ３０は、ネジ頭３１の長辺の長さＬ３がクラック誘発目地１のネジ止め溝１２の奥幅Ｌ１と同じまたは奥幅Ｌ１よりわずかに長い。これにより、目地固定ネジ３０をクラック誘発目地１のネジ止め溝１２に挿入して締め付け回転したとき、ネジ頭３１の側面がネジ止め溝１２の奥幅Ｌ１に接触し固定されるので、目地固定ネジ３０の共回りが防止され、クラック誘発目地１は型枠４１に容易かつ迅速に固定される。
【００４８】
ネジ頭３１の短辺の長さＬ４は、クラック誘発目地１のネジ止め溝１２の開口幅Ｌ２より短い。これにより、目地固定ネジ３０をクラック誘発目地１のネジ止め溝１２の任意の箇所に容易に挿入することができる。また、同様の理由からその取り外しを容易かつ迅速におこなうことができる。
【００４９】
図５ｂに示されるように、ネジ頭３１の形状は、ネジ先３２側から見たとき、横長の長方形の右下角と左上角とが円弧状Ｒに形成され、ネジ頭３１の外周はその右上角と左下角との距離Ｌ５が最も長くなるように形成されている。これにより、目地固定ネジ３０をクラック誘発目地１のネジ止め溝１２に挿入して締め付け回転したとき、ネジ頭３１の側面は、円弧状Ｒの右下角と左上角とにおいては、ネジ止め溝１２の奥幅Ｌ１と接触せず、ネジ頭３１の右上角と左下角近傍でネジ止め溝１２の奥幅Ｌ１と接触し固定される。その結果、目地固定ネジ３０をナット４２で締め付けるときに共回りが防止され、クラック誘発目地１は型枠４１に容易かつ迅速に固定される。目地固定ネジ３０は、ネジの締め付けに耐えうる一定の強度を有するものであれば特に限定されないが、鉄、銅、アルミニウムなどの金属製、ポリ塩化ビニルなどの合成樹脂製またはポリアセタール樹脂、ナイロンなどのエンジニアリング樹脂製であることが好ましい。
【００５０】
次に、本発明の目地固定ネジ３０とネジ止め溝１２との関係について説明する。図６ａに示されるように、目地固定ネジ３０は、ネジ頭３１の短辺の長さＬ４がクラック誘発目地１のネジ止め溝１２の開口幅Ｌ２より短いので、ネジ頭３１をクラック誘発目地１の平坦面１０側からネジ止め溝１２に挿入することができる。
【００５１】
ネジの締め付けはネジ先３２から見て右回転であるので、挿入した目地固定ネジ３０を右に回転させる。ネジ頭３１の長辺の長さＬ３は、クラック誘発目地１のネジ止め溝１２の奥幅Ｌ１と同じかそれよりわずかに長いが、ネジ頭３１の前記右下角と前記左上角とは円弧状Ｒに形成されているので、前記右下角と前記左上角との距離は、ネジ止め溝１２の奥幅Ｌ１より短い。これにより、ネジ頭３１の側面は、前記右下角と前記左上角近傍においては、ネジ止め溝１２の奥幅Ｌ１と接触しない。
【００５２】
さらに回転を続けると、ネジ頭３１の右上角と左下角とがネジ止め溝１２の奥幅Ｌ１に近づく。図６ｂに示されるように、ネジ頭３１の外周の幅が、ネジ止め溝１２の奥幅Ｌ１の長さと等しくなる箇所において、ネジ頭３１の側面は奥幅Ｌ１に接触する。これにより、ネジ頭３１はネジ止め溝１２に固定される。ネジ頭３１の長辺の長さＬ３がクラック誘発目地１のネジ止め溝１２の奥幅Ｌ１と同じかそれよりわずかに長い程度に抑えられることにより、ネジ頭３１の座面の面積が十分確保されるので好ましい。
【００５３】
ネジ頭３１の長辺の長さＬ３は、好ましくは奥幅Ｌ１の長さより０〜２０％長く、より好ましくは奥幅Ｌ１の長さより０〜１０％長く、最も好ましくはネジ頭３１の長辺の長さＬ３とクラック誘発目地１のネジ止め溝１２の奥幅Ｌ１とが同じ長さである。
【００５４】
図６ｃに示されるように、ネジ頭３１の長辺の長さＬ３とクラック誘発目地１のネジ止め溝１２の奥幅Ｌ１の長さが同じである場合、ネジ頭３１は、目地固定ネジ３０をネジ止め溝１２に挿入して右に略９０度回転した時点で、前記右上角と左下角とが奥幅Ｌ１に接触し固定される。これにより、座面を最大面積とすることができ、目地固定ネジ３０を十分に締め付けることができる。
【００５５】
次に、本発明の目地固定ネジ３０の共回り防止機構について説明する。前述のとおり、クラック誘発目地１に固定された目地固定ネジ３０は、そのネジ先３２がクラック誘発目地１から突き出た状態となる。このネジ先３２を型枠４１に設けたネジ孔に通し、型枠４１外側からナット４２により目地固定ネジ３０を締め付け、クラック誘発目地１を型枠４１に固定する。
【００５６】
目地固定ネジ３０は、そのネジ頭３１の側面とクラック誘発目地１のネジ止め溝１２の奥幅Ｌ１との接触により固定されているため、それ以上右回転せず共回りしない。また、ネジ頭３１の前記右下角と前記左上角は円弧状Ｒに形成されているので、ネジ頭３１の側面とネジ止め溝１２との接触部分は接触面となる。これにより、ネジ頭３１の前記右下角と前記左上角が角である場合と比較して、ネジ頭３１の側面とネジ止め溝１２との接触面積が大きくなり、両者はより強固に固定される。これにより、コンクリート打設後、目地固定ネジ３０を取り外す際にも共回りを防止することができ、クラック誘発目地１の型枠４１への設置および取り外しを容易かつ迅速にすることができる。
【００５７】
（コンクリート構造体のクラック誘発防水構造および方法）
図７および８にしたがって、本発明のクラック誘発目地１と目地固定ネジ３０とを用いたクラック誘発防水構造４０および方法について説明する。
【００５８】
図７に示されるように、本発明のクラック誘発防水構造４０の一実施態様では、コンクリート構造体２０の四方を覆う型枠４１と、その平坦面１０が型枠４１に密接して固定されるクラック誘発目地１と、型枠４１とクラック誘発目地１とを固定する目地固定ネジ３０とを備える。この構成により、クラック誘発目地１は型枠４１にその平坦面同士が対面し、目地固定ネジ３０の締め付け力によって容易かつ迅速に固定することができる。また、クラック誘発目地１の平坦面１０の反対側には先細り部１１が設けられ、この先細り部１１の先端はコンクリート構造体２０内部中央を向いている。これにより、コンクリート構造体２０内部に、先細り部１１の先端を起点としてクラック４３が発生する。型枠４１の形状は、平板形状のものが用いられ、その材質は特に限定されないが、安価で軽量な木材板または樹脂板が用いられる。
【００５９】
次に、本発明のクラック誘発防水構造４０の設置方法について説明する。コンクリート構造体２０は、その周囲を取り囲む型枠４１内に未硬化コンクリートを打設することにより形成される。
【００６０】
クラック誘発目地１は、コンクリート打設前に、目地固定ネジ３０により、型枠４１内側、すなわちコンクリートを打設する側に固定される。型枠４１には、クラック誘発目地１を固定するネジ孔が複数設けられている。目地固定ネジ３０は、そのネジ頭３１の短辺Ｌ４がクラック誘発目地１のネジ止め溝１２の開口幅Ｌ２に沿うように、ネジ止め溝１２に挿入される。ネジ止め溝１２は、クラック誘発目地１の上下端に連通するよう形成されているので、ネジ止め溝１２を上下方向任意の箇所に自由に挿入固定することができる。これにより、ネジ先３２をネジ孔に通す作業が不要となり、作業を容易かつ迅速にすることができる。
【００６１】
目地固定ネジ３０のネジ頭３１の長辺Ｌ３は、ネジ止め溝１２の奥幅Ｌ１と同じかそれよりわずかに長く、ネジ頭３１の前記右下角と前記左上角とは円弧状Ｒに形成されているので、目地固定ネジ３０を締め付けるため右回転すると、ネジ頭３１の側面は、前記右下角と前記左上角近傍においては、ネジ止め溝１２の奥幅Ｌ１と接触しないが、ネジ頭３１の外周の幅が、ネジ止め溝１２の奥幅Ｌ１の長さと等しくなる箇所において、ネジ頭３１の側面は奥幅Ｌ１に接触し固定される。これにより、目地固定ネジ３０はそれ以上右回転しないので、ネジの共回りを防止することができ、クラック誘発目地１の型枠４１への設置および取り外しを容易かつ迅速にすることができる。
【００６２】
型枠４１内に未硬化のコンクリートが打設され、コンクリートが硬化すると、コンクリート構造体２０のクラック誘発防水構造４０が形成され、型枠４１と目地固定ネジ３０は撤去される。しかし、クラック誘発目地１は、型枠４１に面していたその平坦部１０がコンクリート構造体２０外表面に露出するかたちで、コンクリート構造体２０内に残置される。これにより、目地を撤去するタイプのものと比較して、コンクリート外表面に発生する断面欠損部分を埋め戻しするシーリング剤やモルタルが不要となり、撤去作業およびシーリング剤やモルタルの埋め戻し作業を省略することができる。また、シーリング剤やモルタルなどのコストを削減することができる。
【００６３】
本発明のクラック誘発防水構造４０では、クラック誘発目地１が先細り部１１を有するので、その箇所ではコンクリート構造体２０の断面欠損幅が大きくなり、コンクリート硬化に伴う収縮応力により、先細り部１１の先端を起点としてコンクリート構造体２０内部にクラック４３を発生させることができる。先細り部１１には開口溝１４が設けられているので、クラック４３をより確実に発生させることができる。図７に示されるように、クラック誘発目地１は、コンクリート構造体２０内にその先細り部１１の先端が対向するよう配設されている。これにより、コンクリート構造体２０内部の断面欠損幅が大きい両先端部間にクラック４３を確実に発生させることができる。
【００６４】
発生したクラック４３には、クラック誘発目地１に設けられた開口溝１４に補修剤を注入することにより、補修剤が充填される。これにより、クラック４３は封止および防水され、コンクリート構造体２０の防水機能が強化され、その強度低下を長期間防止することができる。
【００６５】
補修剤は、流動性がよく補修効果に優れたものであれば、無機系の補修剤でも有機系の補修剤でもよく、特に限定されないが、浸透性の高いコロイダルシリカ水性分散液を用いることが好ましい。コロイダルシリカ水性分散液は、シリカが超微粒子であるため、コンクリート構造体２０内に発生したクラック４３に浸透していき、クラック４３周囲のコンクリート中のアルカリ物質や水和物と反応してゲル化し、このシリカゲルでクラック４３内部を充填し、補修することができる。そのほか、ウレタン系補修剤やセメントミルクなども使用可能である。ただ、鉄筋を腐食しやすい酸や塩素などを含まない、または発生しないものであることが必要である。
【００６６】
図８に示されるように、本発明のクラック誘発防止構造４０の他の実施態様は、コンクリート構造体２０の厚さが厚い場合のクラック誘発防水構造４０を示している。内部クラック誘発部材４４をクランプ４５によりコンクリート構造体２０内部の鉄筋４６の内側に配設しているので、当該箇所における断面欠損幅が大きくなり、あらかじめ想定した箇所にクラック４３を確実に発生させることができる。
【図面の簡単な説明】
【００６７】
【図１】本発明のクラック誘発目地の第１の実施の形態における概略斜視図である。
【図２】（ａ）は、本発明のクラック誘発目地の第１の実施の形態における横断面図、（ｂ）は、本発明のクラック誘発目地の第２の実施の形態における横断面図、（ｃ）は、本発明のクラック誘発目地の第３の実施の形態における横断面図である。
【図３】本発明のクラック誘発目地の第４の実施の形態における横断面図である。
【図４】（ａ）は、本発明のクラック誘発目地の第５の実施の形態を示し、コンクリート構造体に配設された状態における上端面を示す概略斜視図、（ｂ）は、図４ａの断面図である。
【図５】（ａ）は、本発明の目地固定ネジの正面図、（ｂ）は、本発明の目地固定ネジを、ネジ先から見た状態を示す図である。
【図６】（ａ）は、本発明の目地固定ネジの目地への固定方法を示す第１説明図、（ｂ）は、本発明の目地固定ネジの目地への固定方法を示す第２説明図、（ｃ）は、本発明の目地固定ネジの目地への固定方法を示す第３説明図である。
【図７】本発明のクラック誘発防水構造の一実施態様を示す概略横断面図である。
【図８】本発明のクラック誘発防水構造の他の実施態様を示す概略横断面図である。
【符号の説明】
【００６８】
１    クラック誘発目地
２    クラック誘発目地本体
３    被覆層
１０    平坦部（平坦面）
１１    先細り部
１２    ネジ止め溝
１３    円柱
１４    開口溝
１５    シート
１６    突出部
１７    突起部
１８    連結穴
２０    コンクリート構造体
２１    コンクリート層
３０    目地固定ネジ
３１    ネジ頭
３２    ネジ先
４０    クラック誘発防水構造
４１    型枠
４２    ナット
４３    クラック
４４    内部クラック誘発部材
４５    クランプ
４６    鉄筋
Ｌ１    ネジ止め溝１２の奥幅
Ｌ２    ネジ止め溝１２の開口幅
Ｌ３    ネジ頭３１の長辺の長さ
Ｌ４    ネジ頭３１の短辺の長さ
Ｌ５    ネジ頭３１の右上角と左下角との距離
【図１】
2010001644.tif 000003
【図２】
2010001644.tif 000004
【図３】
2010001644.tif 000005
【図４】
2010001644.tif 000006
【図５】
2010001644.tif 000007
【図６】
2010001644.tif 000008
【図７】
2010001644.tif 000009
【図８】
2010001644.tif 000010